(57)【要約】【課題】映像を表示する際のダイナミックレンジ調整の利便性を向上させる。【解決手段】映像表示装置は、第１のダイナミックレンジが規定された入力映像および該入力映像の輝度に関する情報を含むデータが入力される入力手段１と、第１のダイナミックレンジを、該第１のダイナミックレンジより最大輝度が低い第２のダイナミックレンジに変換する変換手段２，６と、第２のダイナミックレンジの最大輝度のユーザ設定値を取得する設定値取得手段９と、表示手段５に対して設定された表示条件において表示手段が第２のダイナミックレンジの最大輝度を表示した際の表示輝度である最大表示輝度を取得する輝度取得手段７と、ユーザ設定値の設定に用いられる設定画面を生成する生成手段８とを有する。設定画面は、上記輝度に関する情報、ユーザ設定値および最大表示輝度の相対関係を示す情報を表示する。【選択図】図３
2019161305.tif 000002
【特許請求の範囲】
【請求項１】
映像を表示する表示手段と、
第１のダイナミックレンジが規定された入力映像および該入力映像の輝度に関する情報を含むデータが入力される入力手段と、
前記第１のダイナミックレンジを、該第１のダイナミックレンジより最大輝度が低い第２のダイナミックレンジに変換する変換手段と、
前記第２のダイナミックレンジの前記最大輝度のユーザ設定値を取得する設定値取得手段と、
前記表示手段に対して設定された表示条件において該表示手段が前記第２のダイナミックレンジの前記最大輝度を表示した際の表示輝度である最大表示輝度を取得する輝度取得手段と、
前記ユーザ設定値の設定に用いられる設定画面を生成する生成手段とを有し、
前記設定画面は、前記データから得られる前記輝度に関する情報、前記ユーザ設定値および前記最大表示輝度の相対関係を示す情報を表示することを特徴とする映像表示装置。
【請求項２】
前記入力画像の前記第１のダイナミックレンジに対して第１のＥＯＴＦが規定されており、
前記変換手段は、前記第１のＥＯＴＦを、前記第２のダイナミックレンジに対して規定された第２のＥＯＴＦに変換することを特徴とする請求項１に記載の映像表示装置。
【請求項３】
前記第１のＥＯＴＦは、ＳＭＰＴＥ  ＳＴ２０８４であることを特徴とする請求項２に記載の映像表示装置。
【請求項４】
前記輝度取得手段は、前記表示手段により表示された映像または前記表示手段における映像表示面の輝度を測定するセンサを用いて前記最大表示輝度を取得することを特徴とする請求項１から３のいずれか一項に記載の映像表示装置。
【請求項５】
前記表示手段は、前記映像を表示するための光源の発光強度または前記光源から発せられた光の減光量を変更して表示輝度を調整する輝度調整手段を有し、
前記輝度取得手段は、前記調整手段により調整された前記発光強度または前記減光量を用いて前記最大表示輝度を取得することを特徴とする請求項１から３のいずれか一項に記載の映像表示装置。
【請求項６】
前記表示手段は、照明光を変調して映像光を生成する光変調素子と、前記映像光を被投射面に投射する投射光学系とを有することを特徴とする請求項１から５のいずれか一項に記載の映像表示装置。
【請求項７】
前記表示条件は、前記投射光学系のズーム状態を含むことを特徴とする請求項６に記載の映像表示装置。
【請求項８】
前記表示条件は、前記被投射面上での投射面積と相関を有する状態を含むことを特徴とする請求項６または７に記載の映像表示装置。
【請求項９】
映像を表示する表示手段を有し、第１のダイナミックレンジが規定された入力映像および該入力映像の輝度に関する情報を含むデータが入力される映像表示装置の制御方法であって、
前記第１のダイナミックレンジを、該第１のダイナミックレンジより最大輝度が低い第２のダイナミックレンジに変換する処理と、
前記第２のダイナミックレンジの前記最大輝度のユーザ設定値を取得する処理と、
前記表示手段に対して設定された表示条件において該表示手段が前記第２のダイナミックレンジの前記最大輝度を表示した際の表示輝度である最大表示輝度を取得する処理と、
前記ユーザ設定値の設定に用いられる設定画面を生成する処理とを含み、
前記設定画面は、前記データから得られる前記輝度に関する情報、前記ユーザ設定値および前記最大表示輝度の相対関係を示す情報を表示することを特徴とする映像表示装置の制御方法。
【請求項１０】
映像を表示する表示手段を有し、第１のダイナミックレンジが規定された入力映像および該入力映像の輝度に関する情報を含むデータが入力される映像表示装置のコンピュータに、請求項９に記載の制御方法に従う処理を実行させることを特徴とするコンピュータプログラム。
【発明の詳細な説明】
【技術分野】
【０００１】
本発明は、プロジェクタや直視型ディスプレイ等の映像表示装置に関する。
【背景技術】
【０００２】
ＨＤＲ（高ダイナミックレンジ）映像を表示できる映像表示装置では、従来のＳＤＲ（標準ダイナミックレンジ）映像よりも実際に肉眼で見た感覚に近くなるように、従来では飽和させていた輝度を飽和させないような輝度変換特性を有する。このようなＨＤＲ映像対応映像表示装置は十分に高輝度で表示できる能力を有することが望ましいが、実際には十分な高輝度表示能力を有さないものが多い。一方、明るい視聴環境下でも視認し易いように、ＳＤＲ映像のダイナミックレンジの最大値１００［ｃｄ／ｍ２］より高い輝度で表示できる映像表示装置も増えている。
【０００３】
特許文献１には、ＨＤＲ対応ソース機器において、高輝度ＳＤＲ映像対応映像表示装置にＨＤＲ映像を表示させるためのダイナミックレンジを変換する方法が開示されている。この変換方法では、映像表示装置の表示可能輝度に合わせて、ＨＤＲ映像のダイナミックレンジ変換を行い、該ダイナミックレンジ変換後の映像をＳＤＲ映像の逆ＥＯＴＦで変換して映像表示装置に映像信号を伝送する。ＥＯＴＦは、Electro-Optical Transfer Functionの略語である。映像表示装置では、逆ＥＯＴＦ変換後の映像に対して通常の映像信号処理を行うだけで、１００［ｃｄ／ｍ２］より高く拡張された表示可能輝度までの高輝度映像を表示することができる。また、同特許文献には、表示可能輝度が不明な場合に備えて、ユーザに表示可能輝度を調整させるメニュー画面とその確認用のサンプル画像の表示も行えることが開示されている。
【先行技術文献】
【特許文献】
【０００４】
【特許文献１】特開２０１７−０５０８４０号公報
【発明の概要】
【発明が解決しようとする課題】
【０００５】
特許文献１にて開示された変換方法は、十分な表示可能輝度を有さないＨＤＲ映像対応映像像表示装置に対しても適用可能である。しかしながら、ユーザがダイナミックレンジ調整を行う場合において、サンプル画像を見易いように調整できたとしても、そのダイナミックレンジ調整が入力されているＨＤＲ映像に好適であるか否かをユーザが判断することが難しい。
【０００６】
本発明は、ＨＤＲ映像を表示する際のダイナミックレンジ調整の利便性を向上させることが可能な映像表示装置を提供する。
【課題を解決するための手段】
【０００７】
本発明の一側面としての映像表示装置は、映像を表示する表示手段と、第１のダイナミックレンジが規定された入力映像および該入力映像の輝度に関する情報を含むデータが入力される入力手段と、第１のダイナミックレンジを該第１のダイナミックレンジより最大輝度が低い第２のダイナミックレンジに変換する変換手段と、第２のダイナミックレンジの最大輝度のユーザ設定値を取得する設定値取得手段と、表示手段に対して設定された表示条件において表示手段が第２のダイナミックレンジの最大輝度を表示した際の表示輝度である最大表示輝度を取得する輝度取得手段と、ユーザ設定値の設定に用いられる設定画面を生成する生成手段とを有する。そして、設定画面は、上記データから得られる輝度に関する情報、ユーザ設定値および最大表示輝度の相対関係を示す情報を表示することを特徴とする。
【０００８】
また、本発明の他の一側面としての制御方法は、映像を表示する表示手段を有し、第１のダイナミックレンジが規定された入力映像および該入力映像の輝度に関する情報を含むデータが入力される映像表示装置に適用される。該制御方法は、第１のダイナミックレンジを、該第１のダイナミックレンジより最大輝度が低い第２のダイナミックレンジに変換する処理と、第２のダイナミックレンジの最大輝度のユーザ設定値を取得する処理と、表示手段に対して設定された表示条件において表示手段が第２のダイナミックレンジの最大輝度を表示した際の表示輝度である最大表示輝度を取得する処理と、ユーザ設定値の設定に用いられる設定画面を生成する処理とを有する。そして、設定画面は、上記データから得られる輝度に関する情報、ユーザ設定値および最大表示輝度の相対関係を示す情報を表示することを特徴とする。
【０００９】
映像表示装置のコンピュータに上記制御方法に従う処理を実行させるコンピュータプログラムも、本発明の他の一側面を構成する。
【発明の効果】
【００１０】
本発明によれば、ＨＤＲ映像等の映像を表示する際のユーザによるダイナミックレンジ調整の利便性を向上させることができる。
【図面の簡単な説明】
【００１１】
【図１】本発明の実施例１である映像表示装置の構成を示すブロック図。
【図２】実施例１におけるガンマ部の設定カーブ例を示す図。
【図３】実施例１におけるＨＤＲレンジ調整メニューを示す図。
【図４】実施例１におけるＨＤＲレンジの調整例を示す図。
【図５】本発明の実施例２におけるＨＤＲレンジ調整メニューを示す図。
【図６】実施例２におけるＨＤＲレンジの調整例を示す図。
【発明を実施するための形態】
【００１２】
以下、本発明の実施例について図面を参照しながら説明する。
【実施例１】
【００１３】
図１は、本発明の実施例１である映像表示装置の構成を示している。映像表示装置には、プロジェクタ（画像投射装置）や直視型ディスプレイが含まれる。
【００１４】
本実施例の映像表示装置は、映像入力部１、ガンマ部２、メタデータ取得部３、ＯＳＤ重畳部４、表示部５、ガンマ制御部６、表示輝度取得部７、ＨＤＲレンジ調整メニュー部８および操作部９を有する。
【００１５】
映像入力部（入力手段）１は、ＨＤプレーヤやコンピュータ等から映像信号として入力されるＨＤＲ映像（入力映像）を受信するための端子、例えばＨＤＲ映像の送受信が規格として定義されているＨＤＭＩ（登録商標）端子を有する。なお、ＨＤＭＩは例にすぎず、ＤｉｓｐｌａｙＰｏｒｔ等、ＨＤＲ映像や後述するメタデータの送受信が行えれば他の規格の端子であってもよい。ＨＤＲ映像に対しては、コード値と輝度の関係を示すＥＯＴＦ(Electro-Optical Transfer Function)が規定されている。このＥＯＴＦとして、ＨＤＭＩでは、米国映画テレビ技術者協会（ＳＭＰＴＥ）で規格化されたＳＭＰＴＥ  ＳＴ２０８４が採用されている。ＳＴ２０８４では、１０，０００ｎｉｔｓまでの輝度に対するコード値が規定されている。本実施例では、ＳＴ２０８４のＥＯＴＦを前提として説明するが、他のＥＯＴＦであってもよい。
【００１６】
ガンマ部２は、ルックアップテーブルを備え、映像入力部１から入力されたＨＤＲ映像のＥＯＴＦを基準ＥＯＴＦに変換する。ＨＤＲ映像のＥＯＴＦは、ＨＤＲ映像に対して定義された第１のダイナミックレンジに対する第１のＥＯＴＦに相当する。基準ＥＯＴＦは、第１のダイナミックレンジより最大輝度が低い第２のダイナミックレンジに対して規定された第２のＥＯＴＦに相当する。基準ＥＯＴＦは、ガンマ制御部６により設定される映像表示装置内で基準とするＥＯＴＦであり、本実施例では基準ＥＯＴＦをＳＤＲ映像のＥＯＴＦであるガンマ２．２のカーブとする。ガンマ部２とガンマ制御部６により変換手段が構成される。
【００１７】
なお、ガンマ２．２は例にすぎず、ガンマ２．４や表示部５の特性を考慮した全く別のカーブであってもよい。ただし、ルックアップテーブルは、階調潰れを生じないように、ＲＧＢの各色について２ビット以上、階調（輝度）を拡張できることが好ましい。ガンマ部２は、基準ＥＯＴＦに変換された映像を出力する。
【００１８】
メタデータ取得部３は、映像入力部１からのＨＤＲ映像に対する付加情報として入力されるメタデータから、該ＨＤＲ映像の輝度に関する情報を読み取る。輝度に関する情報としては、全米民生技術協会（ＣＴＡ）で規格化された８６１．３Ａにて定義されるＭａｘＣＬＬ（Maximum Content Light Level)やＭａｘＦＡＬＬ（Maximum Frame-Average-Light Level）が該当する。ただし、ＭａｘＣＬＬやＭａｘＦＡＬＬは例にすぎず、ＨＤＲ映像の輝度に関する情報であれば他の情報であってもよい。メタデータ取得部３は、読み取った輝度に関する情報（以下、輝度情報という）をＨＤＲレンジ調整メニュー部８に出力する。
【００１９】
ＯＳＤ重畳部４は、ガンマ部２から出力された映像に対して、後述するＨＤＲレンジ調整メニュー部８から出力される各種メニュー画面を示す画像を重畳する。各種メニュー画面は、操作部９と連携して、ユーザに映像表示装置の各種設定値を変更する操作を行わせるために表示される。
【００２０】
表示部（表示手段）５は、映像表示装置の種類によって構成が異なる。映像表示装置がプロジェクタ（画像投射装置）である場合は、表示部５は、ＯＳＤ重畳部４からの映像に応じて光変調素子を駆動し、光源からの照明光を光変調素子により変調して生成した映像光を投射光学系を通してスクリーン等の被投射面に投射する。これにより、被投射面上に投射映像が表示される。光変調素子としては、液晶パネルやデジタルマイクロミラーデバイス等が用いられる。また、映像表示装置が直視型ディスプレイである場合は、表示部５は、ＯＳＤ重畳部４からの映像に応じて光変調素子を駆動することで、映像表示面（表示画面）に映像を表示する。光変調素子としては、液晶パネルや有機ＥＬ素子等が用いられる。
【００２１】
また表示部５は、光変調素子のＶＴ（入力電圧に対する表示輝度）特性に応じた基準ＥＯＴＦから光変調素子に印加する電圧への変換も行う。さらに、表示部５は種々の表示条件（表示状態ともいう）で表示が可能である。ここにいう表示条件とは、光源の発光強度や、投射光学系の絞り値、ズーム状態およびフォーカス位置等である。映像表示装置が直視型液晶ディスプレイである場合は、表示条件にバックライト光量が含まれる。
【００２２】
上述したＳＴ２０８４は１０，０００ｎｉｔｓまでの輝度に対応しているが、実際にはそこまでの輝度が必要とされるケースは少なく、多くの場合は１，０００〜３，０００ｎｉｔｓで十分である。そこで本実施例では、映像表示装置としての最大出力輝度を３，０００ｎｉｔｓとする。そして、操作部９を通じてユーザが設定した表示条件に応じて出力輝度を調整する出力輝度調整が可能である。つまり、表示部５に入力される階調が同じであっても、出力輝度調整がなされることによって出力輝度が変化する。
【００２３】
ガンマ制御部６は、ガンマ部２のルックアップテーブルに設定するガンマカーブを生成する。ＳＴ２０８４のＥＯＴＦは絶対輝度でコード化されているため、表示輝度を超える入力階調はクリッピングするか圧縮する必要がある。本実施例では、説明を簡単にするため、表示輝度を超える入力階調をクリッピングする。このため、ガンマ部２に設定するガンマカーブは、表示部５における出力輝度調整に合わせて設定された入力階調閾値（以下、クリッピング閾値という）より高いレンジをクリッピングし、クリッピング閾値以下のレンジはＳＴ２０８４のＥＯＴＦにガンマ２．２の逆ガンマを掛け合わせたカーブで生成される。つまりクリッピング閾値は、クリッピングされない最大入力階調である。
【００２４】
ガンマ制御部６が生成するガンマカーブについて図２を用いて説明する。図２は、ガンマ部２に対して設定する入力階調と出力階調（輝度）との関係を示す５種類のガンマカーブ２ａ〜２ｅを示している。前述したように本実施例では入力階調に対して出力階調は２ビット拡張しているため、入力が１０ビットで出力が１２ビットとなっている。
【００２５】
ガンマカーブ２ａは、１００ｎｉｔｓのガンマカーブであり、１００ｎｉｔｓに相当するコード値（入力階調）で出力階調が最大値となり、それ以下のコード値に対して入力階調と出力階調の関係がＳＴ２０８４のＥＯＴＦにガンマ２．２の逆ガンマを掛け合わせたカーブとなるように設定されている。同様に、ガンマカーブ２ｂ、２ｃ、２ｄ、２ｅはそれぞれ、５００ｎｉｔｓ、１０００ｎｉｔｓ、２０００ｎｉｔｓ、３０００ｎｉｔｓに相当するコード値で出力階調が最大値となり、それ以下のコード値に対してはＳＴ２０８４のＥＯＴＦにガンマ２．２の逆ガンマを掛け合わせたカーブとなるように設定されている。このため、仮にプロジェクタとしての出力輝度が２，０００ｎｉｔｓになるように表示部５の出力輝度調整がなされた場合には、ＳＴ２０８４のＥＯＴＦで入力された映像の２，０００ｎｉｔｓ以下の階調が忠実な輝度で映像出力されることとなる。
【００２６】
なお、図２に示した１００ｎｉｔｓ〜３，０００ｎｉｔｓの５種のガンマカーブは例であり、ガンマ制御部６が生成するガンマカーブの数や範囲は上記例以外であってもよい。また、２台のプロジェクタから同じ被投射位置に映像を投射することによって表示輝度を２倍にすることも可能であるため、ガンマ制御部６で生成するガンマカーブのクリッピング閾値の最大値が各プロジェクタの最大出力輝度を上回ってもよい。
【００２７】
また、ガンマカーブの生成方法としては、ガンマ部２のルックアップテーブルの設定ポイントの設定値を予め制御プログラム内に配列としてガンマカーブの数分保有しておく方法や、演算式により生成する方法等、種々の方法がある。
【００２８】
輝度取得手段としての表示輝度取得部７は、表示部５に対して実際に設定された表示条件において上述した第２のダイナミックレンジの最大輝度を表示した際の表示輝度である最大表示輝度を取得してＨＤＲレンジ調整メニュー部８に出力する。最大表示輝度の取得方法としては、表示部５の種々の表示条件に関連付けて予め最大表示輝度を不図示の不揮発メモリ等の記憶部に保持しておき、実際に設定された表示条件に対応する最大表示輝度を記憶部から読み出す方法が挙げられる。
【００２９】
具体的には、表示部５にズームとフォーカスの調整機能を備えたプロジェクタでは、被投射面上での最大表示輝度は、該被投射面上での投射サイズ（投射面積）と相関がある。さらに、投射サイズは、プロジェクタと被投射面との間の距離である投射距離とズーム状態（拡大率）に相関があり、投射距離は投射映像のピントが合っている場合にフォーカスを行うレンズの位置であるフォーカス位置と相関がある。したがって、被投射面上での最大表示輝度はズーム状態およびフォーカス位置に関連付けることが可能となる。
【００３０】
このため、プロジェクタの製造工程において様々なズーム状態およびフォーカス位置に対応する最大表示輝度を測定しておけばよい。また、被投射面への投射サイズを操作部９を通じてユーザに入力させ、その投射サイズから最大表示輝度を求めてもよい。
【００３１】
液晶ディスプレイにおいて表示部５でバックライト光量の調整が可能ある場合には、その製造工程で各バックライト光量での最大表示輝度を測定して不揮発メモリに保持すればよい。表示部５の状態を読み出せない場合には、投射映像または映像表示面の輝度を輝度センサを用いて測定してもよい。
【００３２】
表示部５が、光源の発光強度または光源から発せられた光の減光量を変更して表示輝度を調整する輝度調整機能を有する場合には、調整された発光強度または減光量を用いて最大表示輝度を取得してもよい。
【００３３】
以上説明した複数の最大表示輝度の取得方法を組み合わせて用いてもよい。最大表示輝度は精度良く取得できることが好ましいが、精度が低くても最大表示輝度を取得する手段が備わっていることが重要であり、上述した取得方法以外の取得方法を用いてもよい。
【００３４】
ＨＤＲレンジ調整メニュー部（生成手段）８は、ＨＤＲ映像の表示レンジを操作部（設定値取得手段）９を通じてユーザに調整（設定）させるための設定画面としてのＨＤＲレンジ調整メニュー画面（以下、単にＨＤＲレンジ調整メニューという）を生成する。そして、ＨＤＲレンジ調整メニューをＯＳＤ重畳部４に出力して、ガンマ部２からの映像に重畳させる。本実施例でのＨＤＲレンジ調整メニューは、ガンマ制御部６で生成されるガンマカーブのクリッピング閾値のユーザ調整値（すなわち第２のダイナミックレンジの最大輝度のユーザ設定値）を設定させるために表示される。
【００３５】
また、ＨＤＲレンジ調整メニューは、メタデータ取得部３で取得されるＭａｘＣＬＬやＭａｘＦＡＬＬ、ユーザ調整値、さらに表示輝度取得部７で取得される最大表示輝度を、同一画面上にてこれらの相対関係を分かり易く示すインジケータとともに表示する。このインジケータを表示することで、これを参照するユーザが調整作業を行い易くなる。
【００３６】
図３は、ＨＤＲレンジ調整メニュー３００の例を示している。ＨＤＲレンジ調整メニュー３００は、インジケータ３０１、クリッピング閾値のユーザ調整値３０２、ＭａｘＦＡＬＬを示す凡例３０３、ＭａｘＣＬＬを示す凡例３０４および最大表示輝度を示す凡例３０５を含む。
【００３７】
インジケータ３０１は、クリッピング閾値の調整可能レンジとクリッピングされずに表示される輝度レンジとの関係を表しており、表示レンジ３１１、クリッピングレンジ３１２、ＭａｘＦＡＬＬ値３１３、ＭａｘＣＬＬ値３１４および最大表示輝度３１５を表示する。表示レンジ３１１は、図中の白部分であり、入力されるＨＤＲ映像のレンジのうち表示される（すなわちガンマ部２でクリッピングされない）輝度レンジを表している。クリッピングレンジ３１２は、図中のグレー部分であり、調整可能レンジのうちガンマ部２でクリッピングされるレンジを表している。ユーザが操作部９を通じてクリッピング閾値のユーザ調整値を減少方向に変更すると、表示レンジ３１１の幅が狭くなり、クリッピングレンジ３１２の幅が広くなる。逆にクリッピング閾値のユーザ調整値を増加方向に変更すると、表示レンジ３１１の幅が広くなり、クリッピングレンジ３１２の幅が狭くなる。
【００３８】
ＭａｘＦＡＬＬ値３１３およびＭａｘＣＬＬ値３１４はそれぞれ、メタデータ取得部３から取得されたＭａｘＦＡＬＬ値およびＭａｘＣＬＬ値をプロットしている。ＭａｘＦＡＬＬ値およびＭａｘＣＬＬ値は、ＨＤＲ映像（コンテンツ）が変更されれば変化するため、それに合わせてプロット位置が左右に変化する。最大表示輝度３１５は、表示輝度取得部７で取得された最大表示輝度をプロットしている。最大表示輝度も、表示部５の表示条件が変化すれば変化するため、それに合わせてプロット位置が左右に変化する。
【００３９】
ユーザ調整値３０２は、前述したクリッピング閾値を表しており、表示レンジ３１１の上限輝度（図中の右端）に対応する。ユーザ調整値３０２として１０００ｎｉｔｓが表示されている場合は、１０００ｎｉｔｓ以上のコード値が入力されても全て１０００ｎｉｔｓとして処理されることを意味する。ユーザが操作部９を通じてクリッピング閾値を変更すると、ユーザ調整値３０２として表示される値が変化し、それに追従して表示レンジ３１１およびクリッピングレンジ３１２の幅が変化する。
【００４０】
ＭａｘＦＡＬＬの凡例３０３は、インジケータ３０１内でのＭａｘＦＡＬＬ値３１３の識別記号△と、メタデータ取得部３から取得されたＭａｘＦＡＬＬ値とを表示している。ＭａｘＣＬＬの凡例３０４は、インジケータ３０１内でのＭａｘＣＬＬ３１４の識別記号◇と、メタデータ取得部３から取得されたＭａｘＣＬＬ値を表示している。最大表示輝度の凡例３０５は、インジケータ３０１内での最大表示輝度３１５の識別記号○と、表示輝度取得部７から取得された最大表示輝度を表示している。
【００４１】
以上のようにＨＤＲレンジ調整メニューを構成することで、ユーザはクリッピング閾値、つまりは表示レンジ３１１の調整を行う際に参照する指標を得ることができ、ユーザによる調整の利便性が向上する。図３に示す状態は、ＭａｘＣＬＬ値が１２００ｎｉｔｓであるため、入力されるＨＤＲ映像の最大輝度は１２００ｎｉｔｓであるが、表示レンジ３１１が１０００ｎｉｔｓであるため、１０００ｎｉｔｓ以上の輝度は飽和して階調潰れが発生する。また、最大表示輝度が２０００ｎｉｔｓであるため、１０００ｎｉｔｓ以下の輝度も倍の輝度で表示される。この状態から、ユーザは視聴環境や好みに応じて表示レンジ３１１を調整することになる。その調整例を図４（Ａ）〜（Ｄ）を用いて説明する。
【００４２】
図４（Ａ）に示すＨＤＲレンジ調整メニュー３００Ａは、ユーザが１０００ｎｉｔｓ以上で飽和するのを嫌いつつ、視聴環境が明るい等の理由により輝度を忠実に再現するより映像を明るく表示したい場合の調整例を示す。表示レンジ３１１Ａに示すように、ユーザ調整値３０２ＡがＭａｘＣＬＬ３１４（＝１２００ｎｉｔｓ）に一致するように設定されている。その結果、入力輝度１２００ｎｉｔｓに対する表示輝度が２０００ｎｉｔｓとなるので、入力輝度に対する表示輝度は約１．６７倍となる。
【００４３】
図４（Ｂ）に示すＨＤＲレンジ調整メニュー３００Ｂは、視聴環境が良く、忠実な輝度表現が望まれる場合の調整例である。表示レンジ３１１Ｂに示すように、ユーザ調整値３０２Ｂが最大表示輝度２０００ｎｉｔｓに一致するように設定されている。その結果、入力輝度２０００ｎｉｔｓに対する表示輝度が２０００ｎｉｔｓとなるので、入力輝度と表示輝度は等しくなる。
【００４４】
図４（Ｃ）に示すＨＤＲレンジ調整メニュー３００Ｃは、ＨＤＲ映像として視聴したいが視聴環境が非常に明るい場合の調整例である。表示レンジ３１１Ｃに示すように、調整値３０２ＣがＭａｘＦＡＬＬ３１３（＝４００ｎｉｔｓ）に一致するように設定されている。その結果、入力輝度４００ｎｉｔｓに対する表示輝度が２０００ｎｉｔｓとなるので、入力輝度に対する表示輝度は約５倍となる。この付近の調整値を選択すると、このＨＤＲ映像コンテンツでは、明るい部分で階調潰れが頻発するおそれがある。
【００４５】
図４（Ｄ）に示すＨＤＲレンジ調整メニュー３００Ｄは、ＭａｘＣＬＬ３１４（＝２２００ｎｉｔｓ）が最大表示輝度２０００ｎｉｔｓを超える場合の調整例である。入力輝度２０００ｎｉｔｓに対する表示輝度が２０００ｎｉｔｓとなるので、入力輝度と表示輝度は等しくなるが、２０００〜２２００ｎｉｔｓの輝度は飽和して階調潰れが発生する。高輝度レンジで階調潰れが発生しているが、ほとんどのレンジで忠実な輝度表現が行われていることとなる。
【００４６】
以上説明したように、本実施例では、ＨＤＲレンジ調整メニューを表示する同一画面内にＭａｘＣＬＬ値、ＭａｘＦＡＬＬ値、クリッピング閾値のユーザ調整値および最大表示輝度の相対関係を示す情報（インジケータ）を表示する。このため、ユーザは該インジケータを指標としてユーザ調整値を設定することができる。インジケータにＭａｘＣＬＬ値およびＭａｘＦＡＬＬ値の両方を表示することが好ましいが、いずれか一方のみを表示するだけでも十分に指標となり得る。
【００４７】
なお、ガンマ部２、メタデータ取得部３、ＯＳＤ重畳部４、ガンマ制御部６、表示輝度取得部７およびＨＤＲレンジ調整メニュー部８を、ＣＰＵやＭＰＵ等のコンピュータ内に設け、コンピュータプログラムに従って上述した処理（制御方法）を実行させてもよい。
【実施例２】
【００４８】
図５および図６を用いて、本発明の実施例２について説明する。本実施例はＨＤＲレンジ調整メニュー部８が生成するＨＤＲレンジ調整メニュー以外は実施例１と同様である。実施例２では、ユーザに入力輝度と表示輝度（出力輝度）の関係の理解を促進させるため、その関係を示す入出力輝度グラフの表示を付加する。
【００４９】
図５は、本実施例におけるＨＤＲレンジ調整メニューの例を示している。ＨＤＲレンジ調整メニュー５００は、インジケータ３０１、入出力輝度グラフ５０１、ユーザ調整値３０２、ＭａｘＦＡＬＬの凡例３０３、ＭａｘＣＬＬの凡例３０４および最大表示輝度の凡例３０５を有する。入出力輝度グラフ５０１以外の構成要素は実施例１で説明したものと同様である。
【００５０】
入出力輝度グラフ５０１は、横軸を入力輝度とし、縦軸を表示輝度としたグラフであり、入出力輝度線５０２、ＭａｘＦＡＬＬ値５１３、ＭａｘＣＬＬ値５１４および最大表示輝度５１５を含む。図５では、縦方向においてインジケータ３０１内の凡例との対応をとり、インジケータ３０１と入出力輝度グラフ５０１との間で横方向のレンジを揃えている。
【００５１】
入出力輝度線５０２は、入力されるＨＤＲ映像の入力輝度と表示部５の表示輝度との関係を表している。本実施例では、実施例１と同様に、図２に示したような単純にクリッピング閾値（ユーザ調整値３０２）以上の入力輝度をクリッピングするガンマカーブを用いるため、ユーザ調整値３０２以上の入力輝度に対しては一律、最大表示輝度で表示される。単純にクリッピングせずに圧縮する手段を用いた場合は、その関係に従った入出力輝度線を表示してもよい。
【００５２】
ユーザが操作部９を通じてユーザ調整値３０２を減少方向に変更すると、入出力輝度線５０２のうちクリッピング閾値を表す水平線の部分が左側に伸び、傾いた部分の傾きが増加する。また、ユーザ調整値３０２を増加方向に変更すると、水平線の部分が右側に縮んで傾いた部分の傾きが減少する。
【００５３】
ＭａｘＦＡＬＬ値５１３およびＭａｘＣＬＬ値５１４はそれぞれ、メタデータ取得部３で取得されたＭａｘＦＡＬＬ値および、ＭａｘＣＬＬ値をプロットしている。最大表示輝度５１５は、表示輝度取得部７で取得された最大表示輝度をプロットしている。これらプロットされた値はそれぞれ、図中のように破線等を用いてインジケータ３０１との位置関係を分かり易くするのが好ましい。また、図中のプロット位置は、入出力輝度の関係が１：１になる位置としている。これにより、プロット位置と入出力輝度関係線５０２との位置関係から、どの程度ゲインがかかっているかをユーザが一目で理解することができる。なお、図５は例を示しているにすぎず、入出力輝度関係線５０２上にプロットする等、他の表示方法を用いてもよい。
【００５４】
実施例１と同様に、ユーザによる表示レンジ３１１（ユーザ調整値３０２）の調整に応じた入出力輝度グラフ５０１の表示例を図６（Ａ）〜（Ｃ）を用いて説明する。これらの表示例は、実施例１の図４（Ａ）〜（Ｃ）に示した例に対応している。すなわち、ユーザ調整値３０２がＭａｘＣＬＬ値３１４に一致するように設定された場合、最大表示輝度３１５に一致するように設定された場合およびＭａｘＦＡＬＬ値３１３に一致するように設定された場合について説明する。
【００５５】
図６（Ａ）に示すＨＤＲレンジ調整メニュー５００Ａは、図４（Ａ）に示したＨＤＲレンジ調整メニュー３００Ａに入出力輝度グラフ５０１Ａが追加されたものに相当する。入出力輝度線５０２Ａは、入力輝度１２００ｎｉｔｓまでは傾きが１．６７であり、入力輝度１２００ｎｉｔｓ以上は飽和による一定値２０００ｎｉｔｓを示す。入出力輝度線５０２Ａの傾きがＭａｘＣＬＬ値５１４の破線との交点までは維持されていることから、入力されているＨＤＲ映像コンテンツでは階調潰れが発生しないことが一目で分かる。また、入出力輝度比が１：１の位置でプロットされているＭａｘＣＬＬ値５１４よりも傾きが大きくなっており、その傾き具合からどの程度のゲインがかかっているかも容易に読み取ることができる。図示していないが、ゲインの大きさが一目で分かるように、ゲイン値を示す数値を表示してもよい。
【００５６】
図６（Ｂ）に示すＨＤＲレンジ調整メニュー５００Ｂは、図４（Ｂ）に示したＨＤＲレンジ調整メニュー３００Ｂに入出力輝度グラフ５０１Ｂが追加されたものに相当する。入出力輝度線５０２Ｂは、入力輝度２０００ｎｉｔｓまでは傾きが１であり、入力輝度２０００ｎｉｔｓ以上は飽和による一定値２０００ｎｉｔｓを示す。入出力輝度線５０２Ｂが、その傾きが維持されたまま、入出力輝度比が１：１の位置でプロットされている最大表示輝度５１５と交わっていることから、入出力輝度比が１：１であることが一目で読み取れる。また、入出力輝度線５０２Ｂは、その傾きを維持したまま、ＭａｘＣＬＬ値５１４とも交わっているので、入力されているＨＤＲ映像コンテンツに対しては忠実な輝度表現ができていることも一目で分かる。
【００５７】
図６（Ｃ）に示したＨＤＲレンジ調整メニュー５００Ｃは、図４のＨＤＲレンジ調整メニュー３００Ｃに入出力輝度グラフ５０１Ｃが追加されたものに相当する。入出力輝度線５０２Ｃは、入力輝度４００ｎｉｔｓまでは傾きが５であり、入力輝度４００ｎｉｔｓ以上は飽和による一定値２０００ｎｉｔｓとなる。入出力輝度関係線５０２Ｃの傾きがＭａｘＣＬＬ値５１４の破線との交点まで維持されていないことから、入力されているＨＤＲ映像コンテンツで階調潰れが発生することが一目で分かる。また、入出力輝度線５０２Ｃの傾きがＭａｘＦＡＬＬ値５１３の破線との交点まで維持されていることから、フレーム平均輝度レベルの最大値以下の入力輝度に対しては階調潰れが発生しないことが容易に読み取れる。
【００５８】
このように本実施例では、ＨＤＲレンジ調整メニューを表示する同一画面内にＭａｘＣＬＬ値、ＭａｘＦＡＬＬ値、クリッピング閾値のユーザ設定値および最大表示輝度の相対関係を示すインジケータと、入力輝度と表示輝度の関係を示すグラフとを表示する。このため、ユーザはインジケータとグラフとを指標としてユーザ調整値を設定することができるとともに、そのユーザ調整値の設定に対してどのような処理が適用されるかを容易に把握することができる。
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００５９】
以上説明した各実施例は代表的な例にすぎず、本発明の実施に際しては、各実施例に対して種々の変形や変更が可能である。
【符号の説明】
【００６０】
１  映像入力部
２  ガンマ部
５  表示部
６  表示輝度取得部
８  ＨＤＲレンジ調整メニュー部
【図１】
2019161305.tif 000003
【図２】
2019161305.tif 000004
【図３】
2019161305.tif 000005
【図４】
2019161305.tif 000006
【図５】
2019161305.tif 000007
【図６】
2019161305.tif 000008